(57)【要約】【課題】ユーザからの指示に基づいて、表面の読取画像の画質と裏面の読取画像の画質とに差が生じるのを回避することができる技術を提案する。【解決手段】制御部は、両面同時読取モードでＣＣＤ２２９及びＣＩＳ２３１による読取動作で得られた画像データに基づき、当該原稿がカラー原稿であるか否かを判断し、カラー原稿であると判断した原稿の累積枚数が所定枚数に達したか否かを判断する（♯３）。制御部６１は、カラー原稿の累積枚数が所定枚数に達すると（♯３でＹＥＳ）、前記読取動作を中断し（♯４）、両面反転読取モードへの切替えの要否を入力させる入力画面を表示部５１に表示する（♯５）。【選択図】図５
2009100311.tif 000002
【特許請求の範囲】
【請求項１】
原稿載置部に載置された原稿を給紙する原稿給紙部と、
前記原稿給紙部により搬送されてくる原稿の一方の面の画像を読み取る第１読取部と、
前記原稿給紙部により搬送されてくる原稿の他方の面の画像を読み取る第２読取部と、
前記第１読取部による前記原稿の一方の面の読み取りが終了した後、当該原稿をその他方の面が前記第１読取部に読み取られる状態として反転させて搬送する反転部と、
前記第１読取部により前記原稿の一方の面を読み取り、前記反転部による当該原稿の反転後に、前記第１の読取部が当該原稿の他方の面を読み取る両面反転読取モードと、前記原稿給紙部による一度の原稿搬送で、前記第１読取部が当該原稿の一方の面を読み取り、前記第２読取部が当該原稿の他方の面を読み取る両面同時読取モードとのうちいずれかのモードで、当該各部に読取動作を行わせる制御部と、
前記両面同時読取モードの設定時において、前記読取部の読取動作により画像データが得られると、該画像データで構成される画像が予め定められた種類の画像であるか否かを検出する検出部と、
前記検出部による前記予め定められた種類の画像の検出結果が予め定められた内容と一致したときに、前記両面反転読取モードへの切替えの要否についての入力を受け付ける操作部とを備え、
前記制御部は、前記操作部により前記両面反転読取モードへの切替えが必要である旨の入力が受け付けられると、残りの原稿の反転動作及び読取動作を前記両面反転読取モードで前記反転部及び読取部に行わせ、前記操作部により前記両面反転読取モードへの切替えが不要である旨の入力が受け付けられると、残りの原稿の読取動作を引き続き前記両面同時読取モードで前記読取部に行わせる画像読取装置。
【請求項２】
前記検出部は、前記読取部に読み取られた表裏両面の画像データで構成される画像が予め定められた種類の画像である場合に、原稿が予め定められた種類の原稿であると判断し、
前記予め定められた種類の原稿の枚数を計測する枚数計測部を備え、
前記操作部は、前記枚数計測部による計測値が予め定められた値に達したときに、前記両面反転読取モードへの切替えの要否についての入力を受け付けるものである請求項１に記載の画像読取装置。
【請求項３】
前記予め定められた種類の画像が形成された頁の数を前記一方の面と前記他方の面とに分けて計測する枚数計測部を備え、
前記操作部は、前記枚数計測部による前記一方の面についての計測値及び前記他方の面についての計測値のうち少なくとも一方が予め定められた値に達したときに、前記両面反転読取モードへの切替えの要否についての入力を受け付けるものである請求項１に記載の画像読取装置。
【請求項４】
前記操作部は、予め定められた時間が経過しても、前記両面反転読取モードへの切替えの要否が入力されなかったときは、前記反転読取モードへの切替えが不要である旨の情報を前記制御部に出力する請求項１ないし３のいずれかに記載の画像読取装置。
【請求項５】
前記原稿給紙部は、前記読取部の読取動作が完了した原稿を、当該原稿が前記原稿載置部に載置されていたときの該原稿の向きに対して上下反転した状態で原稿排出部に排出するものであり、
前記制御部は、前記操作部により前記両面反転読取モードへの切替えが必要である旨の入力が受け付けられると、残りの原稿については、当該原稿に対し、前記反転部による反転動作及び前記第１読取部による読取動作を行わせた後、再度前記反転部に反転動作を行わせた上で原稿排出部に排出する請求項１ないし４のいずれかに記載の画像読取装置。
【請求項６】
前記予め定められた種類の画像はカラー画像であり、
前記検出部は、前記第２読取部の読取動作により得られた画像データで構成される画像がカラー画像であるか否かを検出するものである請求項１ないし５のいずれかに記載の画像読取装置。
【請求項７】
前記検出部は、画素毎にカラー画素であるか白黒画素であるかを検出するとともに、頁毎に、カラー画素数が予め設定された閾値より多いか否かを判断し、前記カラー画素数が予め設定された閾値より多いとき、当該頁の画像がカラー画像であると判別する請求項６に記載の画像読取装置。
【請求項８】
前記予め定められた種類の画像はイメージ画像であり、
前記検出部は、前記第２読取部の読取動作により得られた画像データで構成される画像がイメージ画像であるか否かを検出するものである請求項１ないし７のいずれかに記載の画像読取装置。
【請求項９】
前記第１読取部は、縮小光学系イメージセンサにより前記原稿の一方の面を読み取り、
前記第２読取部は、密着光学系イメージセンサにより前記原稿の一方の面を読み取る請求項１ないし８のいずれかに記載の画像読取装置。
【請求項１０】
請求項１ないし９のいずれかに記載の画像読取装置と、
前記記憶部に記憶された画像データに基づいて画像を記録紙に形成する画像形成部とを備える画像形成装置。
【発明の詳細な説明】
【技術分野】
【０００１】
本発明は、原稿の両面を読み取ることが可能な画像読取装置、及びこの画像読取装置を備えた画像形成装置に関するものである。
【背景技術】
【０００２】
従来、複写機やファクシミリ等の画像形成装置では、自動原稿送り装置（ＡＤＦ：Automatic Document Feeder）を備えた画像読取装置によって、原稿の表面及び裏面を自動的に読み取っている。この原稿読取では、原稿の表面の画像をイメージセンサが読み取った後、その原稿の表裏を反転させて、原稿裏面の画像を再度イメージセンサが読み取る方式が広く採用されている。
【０００３】
さらには、下記特許文献１に示されるように、原稿トレイからの原稿搬送路において原稿の表裏両面側にそれぞれイメージセンサを設けることで、原稿を反転させることなく１回の原稿搬送（ワンパス）で原稿両面をほぼ同時に読み取る方式を採用した画像形成装置が知られている。この原稿両面をほぼ同時に読み取る方式を採用する画像形成装置では、原稿の一方の面の読み取りは装置本体側に配設された縮小光学系イメージセンサで行い、原稿の他方の面の読み取りは、設置スペース、コスト等の関係上、自動原稿送り装置側に配設された密着光学系イメージセンサで行う場合が多い。
【０００４】
上記特許文献１に示された画像形成装置のように、原稿の表裏面を読み取るイメージセンサの光学的構成が異なると、それぞれに用いられる光源やレンズアレイ等の相違により読取画像の画質に差が生じる。また、この読取画像の画質差が、記録紙の表裏面に形成される画像の画質の差となって現れる。そのため、このような画像形成装置においては、記録紙の表裏面の画質を同一にするために、１枚の原稿を反転させて２度同じイメージセンサ（縮小光学系イメージセンサ）に搬送して当該イメージセンサで原稿の表裏面を読み取らせる両面反転読取モードと、画像の読取時間を短縮するために原稿の表裏面を縮小光学系と密着光学系の２つのイメージセンサを用いてほぼ同時に読み取らせる両面同時読取モードの２つのモードを備えている場合がある。
【特許文献１】特開２００４−１５２９９号公報
【発明の開示】
【発明が解決しようとする課題】
【０００５】
前述したように、この種の画像形成装置にあっては、例えば表裏両面にカラー画像が形成された原稿を両面同時読取モードで読み取る場合に、表面の読取画像の画質と裏面の読取画像の画質とに差が生じる。そのため、１回のジョブに基づき、複数の原稿からなる原稿束に対する一連の読取動作が開始された後に、ユーザが途中でモードを切り替えることを望む状況が発生し得ると考えられる。なお、この点を考慮した技術は前記特許文献１には開示されていない。
【０００６】
本発明は、上記の問題を解決するためになされたものであり、ユーザからの指示に基づいて、表面の読取画像の画質と裏面の読取画像の画質とに差が生じるのを回避することができる技術を提案することを目的とする。
【課題を解決するための手段】
【０００７】
請求項１に記載の発明は、原稿載置部に載置された原稿を給紙する原稿給紙部と、前記原稿給紙部により搬送されてくる原稿の一方の面の画像を読み取る第１読取部と、前記原稿給紙部により搬送されてくる原稿の他方の面の画像を読み取る第２読取部と、前記第１読取部による前記原稿の一方の面の読み取りが終了した後、当該原稿をその他方の面が前記第１読取部に読み取られる状態として反転させて搬送する反転部と、前記第１読取部により前記原稿の一方の面を読み取り、前記反転部による当該原稿の反転後に、前記第１の読取部が当該原稿の他方の面を読み取る両面反転読取モードと、前記原稿給紙部による一度の原稿搬送で、前記第１読取部が当該原稿の一方の面を読み取り、前記第２読取部が当該原稿の他方の面を読み取る両面同時読取モードとのうちいずれかのモードで、当該各部に読取動作を行わせる制御部と、前記両面同時読取モードの設定時において、前記読取部の読取動作により画像データが得られると、該画像データで構成される画像が予め定められた種類の画像であるか否かを検出する検出部と、前記検出部による前記予め定められた種類の画像の検出結果が予め定められた内容と一致したときに、前記両面反転読取モードへの切替えの要否についての入力を受け付ける操作部とを備え、前記制御部は、前記操作部により前記両面反転読取モードへの切替えが必要である旨の入力が受け付けられると、残りの原稿の反転動作及び読取動作を前記両面反転読取モードで前記反転部及び読取部に行わせ、前記操作部により前記両面反転読取モードへの切替えが不要である旨の入力が受け付けられると、残りの原稿の読取動作を引き続き前記両面同時読取モードで前記読取部に行わせる画像読取装置である。
【０００８】
この発明によれば、前記両面同時読取モードの設定時において、読取指示を受けると、前記原稿給紙部により給紙される原稿に対し、画像の読取動作が前記第１及び第２読取部により行われ、前記読取部の読取動作により得られた画像データで構成される各原稿の画像が予め定められた種類の画像であるか否かが検出部により検出される。
【０００９】
そして、前記検出部による予め定められた種類の画像の検出結果が予め定められた内容と一致したとき、前記両面反転読取モードへの切替えの要否についての入力を受け付ける状態となる。前記操作部により前記両面反転読取モードへの切替えが必要である旨の入力が受け付けられると、残りの原稿について、反転動作及び読取動作が前記両面反転読取モードで前記反転部及び読取部により行われる一方、前記入力操作部により前記反転読取モードへの切替えが不要である旨の入力が受け付けられると、残りの原稿について、読取動作が引き続き前記両面同時読取モードで前記第１及び第２読取部により行われる。
【００１０】
このように、前記検出部による予め定められた種類の画像の検出結果が予め定められた内容と一致したときに、前記両面反転読取モードへの切替えの要否についての入力を受け付ける状態となるので、ユーザからの指示に基づいて、表面の読取画像の画質と裏面の読取画像の画質とに差が生じるのを回避することができる。
【００１１】
請求項２に記載の発明によれば、請求項１に記載の画像読取装置において、前記検出部は、前記読取部に読み取られた表裏両面の画像データで構成される画像が予め定められた種類の画像である場合に、原稿が予め定められた種類の原稿であると判断し、前記予め定められた種類の原稿の枚数を計測する枚数計測部を備え、前記操作部は、前記枚数計測部による計測値が予め定められた値に達したときに、前記両面反転読取モードへの切替えの要否についての入力を受け付けるものである。
【００１２】
この発明によれば、前記操作部が前記両面反転読取モードへの切替えの要否についての入力を受け付ける状態となるタイミングが、前記予め定められた種類の原稿の枚数に基づいて設定される構成を実現することができる。
【００１３】
請求項３に記載の発明は、請求項１に記載の画像読取装置において、前記予め定められた種類の画像が形成された頁の数を前記一方の面と前記他方の面とに分けて計測する枚数計測部を備え、前記操作部は、前記枚数計測部による前記一方の面についての計測値及び前記他方の面についての計測値のうち少なくとも一方が予め定められた値に達したときに、前記両面反転読取モードへの切替えの要否についての入力を受け付けるものである。
【００１４】
この発明によれば、前記操作部が前記両面反転読取モードへの切替えの要否についての入力を受け付ける状態となるタイミングが、前記予め定められた種類の画像が形成された頁の数に基づいて設定される構成を実現することができる。
【００１５】
なお、請求項２，３に記載の発明に共通して、前記計測値が比較的小さい値に設定されたときには、前記両面反転読取モードへの切替えの要否についての入力を受け付ける状態となるまでに両面同時読取モードで読み取られる原稿の数が少ないから、表面と裏面とで読取画像の画質差が生じる前記予め定められた種類の原稿の枚数を少なくすることができる。
【００１６】
特に請求項２における前記計測値を１とすると、原稿束に対する一連の読取動作中に前記予め定められた種類の原稿の存在が最初に検出された時点で、前記操作部が前記両面反転読取モードへの切替えの要否についての入力を受け付ける状態となる。したがって、前記の時点で前記操作部により前記両面反転読取モードへの切替えを指示する入力が受け付けられた場合には、２枚目以降の前記予め定められた種類の原稿における表裏面の画質差が解消されることとなり、表面と裏面とで読取画像の画質差が生じる前記予め定められた種類の原稿の数を最小限に抑えることができる。
【００１７】
一方、前記計測値が比較的大きい値に設定されたときには、両面反転読取モードで読み取る必要の無い原稿についても両面反転読取モードで読取動作が行われるのをできるだけ回避することができる。すなわち、前記計測値が比較的小さい値に設定されると、原稿束に含まれる前記予め定められた種類の原稿が複数の原稿の中で比較的先の読取順であったときに、その予め定められた種類の原稿より読取順が後にある、両面反転読取モードで読み取る必要の無い原稿についても両面反転読取モードで読取動作が行われる状況が生じやすくなるが、前記計測値が比較的大きい値に設定されると、そのような状況が発生するのを回避又は抑制することができる。
【００１８】
また、請求項３に記載の発明においては、読み取った画像を記録紙に印刷する構成において、その印刷物の一側方を綴じて見開き状態にしたときにおける、左右どちらか一方の面に形成された画像の画質と他方の面に形成された画像の画質との差についてもできるだけ発生しないように回避することが可能となる。
【００１９】
請求項４に記載の発明は、請求項１ないし３のいずれかに記載の画像読取装置において、前記操作部は、予め定められた時間が経過しても、前記両面反転読取モードへの切替えの要否が入力されなかったときは、前記反転読取モードへの切替えが不要である旨の情報を前記制御部に出力するものである。
【００２０】
この発明によれば、前記入力操作部は、予め定められた時間が経過しても、前記両面反転読取モードへの切替えの要否が入力されなかったときは、前記反転読取モードへの切替えが不要である旨の情報を前記制御部に出力するようにしたので、ユーザが意図しない前記反転読取モードへの切替えが防止される。
【００２１】
請求項５に記載の発明は、請求項１ないし４のいずれかに記載の画像読取装置において、前記原稿給紙部は、前記読取部の読取動作が完了した原稿を、当該原稿が前記原稿載置部に載置されていたときの該原稿の向きに対して上下反転した状態で原稿排出部に排出するものであり、前記制御部は、前記操作部により前記両面反転読取モードへの切替えが必要である旨の入力が受け付けられると、残りの原稿については、当該原稿に対し、前記反転部による反転動作及び前記第１読取部による読取動作を行わせた後、再度前記反転部に反転動作を行わせた上で原稿排出部に排出するものである。
【００２２】
この発明によれば、前記原稿給紙部が、前記読取部の読取動作が完了した原稿を、当該原稿が前記原稿載置部に載置されていたときの該原稿の向きに対して上下反転した状態で原稿排出部に排出する構成において、前記操作部により前記両面反転読取モードへの切替えが必要である旨の入力が受け付けられると、残りの原稿については、当該原稿に対し、前記反転部による反転動作及び前記第１読取部による読取動作を行わせた後、再度前記反転部に反転動作を行わせた上で原稿排出部に排出するようにしたので、読取動作が完了した原稿を、最も下に位置する原稿及び最も上に位置する原稿のうちいずれかからみて、頁順に積層する態様で原稿排出部に排出することができる。
【００２３】
請求項６に記載の発明は、請求項１ないし５のいずれかに記載の画像読取装置において、前記予め定められた種類の画像はカラー画像であり、前記検出部は、前記第２読取部の読取動作により得られた画像データで構成される画像がカラー画像であるか否かを検出するものである。
【００２４】
この発明によれば、原稿の画像がカラー画像である場合に、両面同時読取モードで読取動作を行うと、表面と裏面とで読取画像の画質差が生じることから、原稿の画像がカラー画像であるときに、読取モードがユーザにより両面反転読取モードに切り替えることで、前記画質差が解消される。
【００２５】
請求項７に記載の発明は、請求項６に記載の画像読取装置において、前記検出部は、画素毎にカラー画素であるか白黒画素であるかを検出するとともに、頁毎に、カラー画素数が予め設定された閾値より多いか否かを判断し、前記カラー画素数が予め設定された閾値より多いとき、当該頁の画像がカラー画像であると判別するものである。
【００２６】
この発明によれば、各頁の画像がカラー画像であるか白黒画像であるかを検出することができる。
【００２７】
請求項８に記載の発明は、請求項１ないし７のいずれかに記載の画像読取装置において、前記予め定められた種類の画像はイメージ画像であり、前記検出部は、前記第２読取部の読取動作により得られた画像データで構成される画像がイメージ画像であるか否かを検出するものである。
【００２８】
この発明によれば、原稿の画像がイメージ画像である場合に、両面同時読取モードで読取動作を行うと、表面と裏面とで読取画像の画質差が生じることから、原稿の画像がイメージ画像であるときに、読取モードがユーザにより両面反転読取モードに切り替えることで、前記画質差が解消される。
【００２９】
請求項９に記載の発明は、請求項１ないし８のいずれかに記載の画像読取装置において、前記第１読取部は、縮小光学系イメージセンサにより前記原稿の一方の面を読み取り、前記第２読取部は、密着光学系イメージセンサにより前記原稿の一方の面を読み取るものである。
【００３０】
この発明によれば、上記原稿両面の読み取りに用いられる第１読取部が縮小光学系イメージセンサであるため、表裏反転により原稿両面を第１読取部で読み取るようにすれば、原稿両面の読取画像の色味に違いを生じさせず、カラー画像を高品質で読み取ることができる。さらに、原稿の他方面を読み取る第２読取部が密着光学系イメージセンサであるため、当該第２読取部を、縮小光学系イメージセンサ配設時のような大きなスペースを要さずに比較的小さなスペースで配設できる。
【００３１】
請求項１０に記載の発明は、請求項１ないし９のいずれかに記載の画像読取装置と、前記記憶部に記憶された画像データに基づいて画像を記録紙に形成する画像形成部とを備える画像形成装置である。
【００３２】
この発明によれば、請求項１ないし５のいずれかに記載の発明によって得られる作用を奏する。
【発明の効果】
【００３３】
本発明によれば、ユーザからの指示に基づいて、表面の読取画像の画質と裏面の読取画像の画質とに差が生じるのを回避することができる。
【発明を実施するための最良の形態】
【００３４】
以下、本発明に係る画像読取装置及び画像形成装置の実施形態について図面を参照して説明する。尚、以下の実施形態では、本発明に係る画像読取装置及び画像形成装置を、カラーコピー、スキャナ、ファクシミリ、プリンタ等の機能を備えた複合機に集約した形態を例に説明する。
【００３５】
図１は本発明に係る画像読取装置及び画像形成装置の一実施形態である複合機１の内部構成を模式的に示した縦断面図である。複合機１は大きく分けると画像読取装置２と装置本体３とからなる。画像読取装置２は、原稿給紙部２１とスキャナ部２２とＣＩＳ２３１と操作部５と、更に後述する反転機構及び制御部６１（図３参照）を備えてなる。原稿給紙部２１はＡＤＦ（Automatic Document Feeder）を備え、原稿トレイ２１１、ピックアップローラ２１２、搬送ドラム２１３、排紙ローラ２１４及び排紙トレイ２１５を有する。原稿トレイ２１１には、読取対象とされる原稿が載置される。原稿トレイ２１１に載置された原稿は１枚ずつピックアップローラ２１２によって取り込まれて搬送ドラム２１３へ搬送される。搬送ドラム２１３を経由した原稿は排紙ローラ２１４によって排紙トレイ２１５へ排出される。
【００３６】
スキャナ部（第１読取部）２２は、原稿の画像を光学的に読み取って画像データを生成するものである。スキャナ部２２は、プラテンガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を備える。このスキャナ部２２は、光源２２２として冷陰極蛍光管等の白色蛍光ランプが用いられ、上記第１ミラー２２３、第２ミラー２２４、第３ミラー２２５、第１キャリッジ２２６、第２キャリッジ２２７及び結像レンズ２２８により、原稿からの光をＣＣＤ２２９に導くものである。スキャナ部２２は、光源２２２として冷陰極蛍光管等の白色蛍光ランプを用いていることから、光源として３色ＬＥＤ等が用いられる後述のＣＩＳ２３１よりも色再現性に優れる。
【００３７】
プラテンガラス２２１には、上記原稿給紙部２１によらない原稿読取時に、ユーザの手動により原稿が載置される。プラテンガラス２２１は、光源２２２及び第１ミラー２２３は第１キャリッジ２２６によって支持され、第２ミラー２２４及び第３ミラー２２５は第２キャリッジ２２７によって支持されている。
【００３８】
画像読取装置２の原稿読取方式としては、プラテンガラス２２１上に載置された原稿をスキャナ部２２が読み取るフラットベッド読取モードと、原稿を原稿給紙部２１（ＡＤＦ）によって取り込み、その搬送途中で原稿を読み取るＡＤＦ読取モードがある。フラットベッド読取モードでは、光源２２２がプラテンガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像を同時に処理する。第１キャリッジ２２６及び第２キャリッジ２２７は、主走査方向と直交する方向（副走査方向、矢印Ｙ方向）に移動可能に構成されており、１ライン分の読み取りが終了すると、当該主走査方向と直交する方向に第１キャリッジ２２６及び第２キャリッジ２２７が移動し、次のラインの読み取りが行われる。
【００３９】
ＡＤＦ読取モードでは、原稿給紙部２１が原稿トレイ２１１に載置された原稿をピックアップローラ２１２によって１枚ずつ取り込む。このとき、第１キャリッジ２２６及び第２キャリッジ２２７は、読取窓２３０の下方位置に配置される。原稿給紙部２１による原稿搬送で、原稿が搬送ドラム２１３から排紙トレイ２１５への搬送経路に設けられた読取窓２３０上を通過するとき、光源２２２が原稿を照射し、主走査１ライン分の反射光が第１ミラー２３３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。
【００４０】
更に、原稿給紙部２１は切換ガイド２１６、反転ローラ２１７及び反転搬送路２１８からなる原稿反転機構（反転部）を有する。この原稿反転機構が、１回目のＡＤＦ読み取りによって表面（原稿の一方の面）が読み取られた原稿を表裏反転させて読取窓２３０（スキャナ部２２）に再搬送することで、再度ＣＣＤ２２９によって裏面（原稿の他方の面）の読み取りが行われる。この原稿反転機構は、両面読み取り時にのみ動作し、片面読み取り時は動作しない。片面読み取り時及び両面読み取り時において裏面の読み取り後、切換ガイド２１６は上側に切り替えられ、搬送ドラム２１３を経た原稿は排紙ローラ２１４によって排紙トレイ２１５に排紙される。両面読み取り時における表面読み取り後、切換ガイド２１６は下側に切り替えられ、搬送ドラム２１３を経た原稿は反転ローラ２１７によって反転搬送路２１８へ搬送される。その後、切換ガイド２１６は上側へ切り替わり、反転ローラ２１７が逆回転して原稿を搬送ドラム２１３へ再給紙する。以下、原稿反転機構を用いて原稿の両面を読み取らせるモードを両面反転読取モード又は高画質モードと表記する。
【００４１】
更に、本実施形態の画像読取装置２は、ＡＤＦ読取モード時において、上記で説明したように原稿の搬送途中でＣＣＤ２２９（スキャナ部２２）によって原稿の表面の読み取りを行わせると略同時に（略並行して）、ＣＩＳ（第２読取部）２３１によって原稿の裏面の読み取りを行わせることが可能である。この場合、原稿トレイ２１１から原稿給紙部２１により搬送された原稿は、読取窓２３０上を通過するときにＣＣＤ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。このようにＣＣＤ２２９とＣＩＳ２３１を用いることで、原稿給紙部２１による原稿トレイ２１１から排紙トレイ２１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モード又は高速モードと表記する。
【００４２】
ここで、高画質モード（両面反転読取モード）と高速モード（両面同時読取モード）について説明する。高画質モードでは原稿両面の読み取りが同じイメージセンサ（ＣＣＤ２２９）によって行われるため、取得した画像データに基づいて両面印刷を行っても、両面の印刷画像の画質に差はない。しかし、高速モードでは原稿の表面はＣＣＤ２２９、裏面はＣＩＳ２３１という異なるイメージセンサで読み取りが行われるため、特にカラー原稿の場合、それぞれのイメージセンサが取得した画像データに基づいて両面印刷を行うと、両面の印刷画像の画質に差が生じる。これは、ＣＣＤ２２９、ＣＩＳ２３１が原稿読み取りの際に用いる上述した光源の分光分布の違いによるものの他に、ＣＣＤ２２９は複数の受光素子がワンチップ上に形成されてイメージセンサとして構成されているのに対し、ＣＩＳ２３１においては複数の固体撮像素子が連結されてイメージセンサとして構成されているため固体撮像素子間に感度のバラつきが生じ、これが画質差の原因となっていると考えられる。
【００４３】
従って、本実施形態の複合機１においては、上記画質差の発生を解決するために、ＡＤＦ読取モードを用いて原稿の両面読み取りを行う際、ユーザは高画質モード（両面反転読取モード）又は高速モード（両面同時読取モード）の何れかを選択することができるようになっている。つまり、両面の印刷画像の画質を揃えたい場合は高画質モード（両面反転読取モード）、両面の印刷画像の画質に差はあっても、読取時間の短縮化を優先させたい場合は高速モード（両面同時読取モード）とする等、ユーザは状況に応じてモードを選択することができる。なお、本実施形態における複合機１は、高速モードに初期設定されており、前記高画質モード及び高速モードのモード設定に係る操作が何も行われないまま画像形成指示が入力された場合には、高速モードで原稿の画像読取動作が行われるようになっている。
【００４４】
さらに、複合機１は、装置本体３と、装置本体３の左方に配設されたスタックトレイ６とを有している。装置本体３は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。また、装置本体３は、給紙トレイ４７１と該給紙トレイ４７１に載置された原稿を１枚ずつ記録部４０に向けて繰り出する繰り出しローラ４７２とを備える。
【００４５】
記録部（画像形成部）４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、当該感光体ドラム４３の表面に静電潜像を形成する露光装置４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、図略のトナー供給容器（トナーカートリッジ）から行われる。また、記録部４０を通過した記録紙をスタックトレイ６又は排出トレイ４８まで搬送する搬送ローラ４６３，４６４等が設けられている。
【００４６】
記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ６又は排出トレイ４８に排出する。
【００４７】
また、装置本体３の前方には、ユーザが操作画面や各種メッセージ等を視認することができる表示部や、種々の操作命令を入力するための操作ボタンを有する操作部５が備えられている。図２は操作部５の正面図の一例である。この操作部５は、表示部５１、タッチパネル５２、数字キー群５３、各種操作ボタン５４〜５７、機能選択ボタン５８等を備える。表示部５１は、ＬＣＤ（Liquid Crystal Display）やＥＬＤ（Electronic Luminescent Display）等によって構成され、紙サイズ選択、倍率選択、濃度選択等のユーサーに対する操作案内画面が表示される。この表示部５１はタッチパネル５２と一体的に形成されている。タッチパネル５２は、ユーザによるタッチ操作がなされたら、タッチ位置を検知して検知信号を、後述する制御部へ出力するものである。
【００４８】
数字キー群５３は、例えば、複合機１のコピー機能を動作させる際はコピー枚数を、ファクシミリ機能を動作させる際は送信先の電話番号等を入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００４９】
複合機１は、前述のような原稿搬送構成を有するため、両面同時読取モードで読取動作が行われた原稿は、当該原稿が原稿トレイ２１１に載置されていたときの該原稿と表裏反転した状態で排紙トレイ２１５に排紙される。したがって、原稿トレイ２１１に原稿束が載置された場合には、排紙トレイ２１５に積層的に各原稿が排出されるが、このときの各原稿を最も下に位置する原稿からみたとき、それらの原稿は原稿トレイ２１１に載置されていたときの頁順で積層状態となる。
【００５０】
また、両面反転読取モードで読取動作が行われた原稿は、ＣＣＤ２２９により裏面の画像を読み取った原稿をそのまま原稿トレイ２１１に原稿を排出するように構成した場合、排紙トレイ２１５に積層状態で排出された原稿の頁順が、原稿トレイ２１１に載置されていたときの頁順と異なるため、本実施形態では、ＣＣＤ２２９により裏面の画像を読み取った原稿を、再度、原稿反転機構により反転した上で原稿トレイ２１１に原稿を排出することで、排紙トレイ２１５に排出される各原稿を最も下に位置する原稿からみたとき、それらの原稿を原稿トレイ２１１に載置されていたときの頁順で積層状態となるようにしている。
【００５１】
図３は、複合機１の電気的な構成を示すブロック図である。尚、図１、図２に示した各部と同一のものには同一の符号を付して詳細な説明は省略する。複合機１は、原稿給紙部２１、スキャナ部２２、ＣＩＳ２３１、操作部５、画像処理部６４、記録部４０、通信部６６及び制御部６１を備えて構成される。
【００５２】
原稿給紙部２１は、前記ＡＤＦ読取モードで原稿のコピーやスキャンが行われる際に、原稿トレイ２１１に載置された原稿を自動的に取り込んで、ＣＣＤ２２９やＣＩＳ２３１による原稿の読み取りが可能なように搬送する。操作部５は、図１に示す操作部５に相当するものである。スキャナ部２２、ＣＩＳ２３１及び操作部５は、図１、図２に示すスキャナ部２２、ＣＩＳ２３１及び操作部５に相当するものである。
【００５３】
画像処理部６４は、画像データに関する各種画像処理を行うものである。例えば、画像処理部６４は、ＣＣＤ２２９又はＣＩＳ２３１によって取得された画像データや、ネットワーク接続されたパーソナルコンピュータ、公衆回線で接続されたファクシミリ装置等から通信部６６を介して転送されてくる画像データに対して、レベル補正、ガンマ補正等の補正処理、画像データの圧縮又は伸長処理、拡大又は縮小処理などの画像加工処理を行う。
【００５４】
記録部４０は、ＣＣＤ２２９又はＣＩＳ２３１によって得られた画像データや、上記パーソナルコンピュータやファクシミリ装置等から通信部６６を介して転送された画像データに基づいた画像を記録紙に形成する。
【００５５】
通信部６６は、ネットワークインターフェースを用い、ネットワークを介して接続されたコンピュータやファクシミリ装置等の外部装置との間で種々のデータの送受信を行うものである。
【００５６】
制御部６１は、複合機１の全体動作制御を司るものであり、ＣＰＵ等によって構成される。上記原稿給紙部２１、スキャナ部２２、ＣＩＳ２３１、操作部５、画像処理部６４、記録部４０及び通信部６６は、制御部６１による制御の下で動作する。制御部６１は、ユーザから操作部５に入力された各種の指示信号等に応じて、図略のＲＯＭ又はＨＤＤに記憶されている動作制御プログラムに基づいた処理を実行し、各機能部への指示信号の出力、データ転送等を行って複合機１を統括的に制御する。
【００５７】
また、制御部６１は、オートカラーセレクト（以下、ＡＣＳ）部６１１と、枚数計測部６１２と、第１読取制御部６１３と、表示制御部６１４と、第２読取制御部６１５と、画像形成制御部６１６とを有する。なお、以下の説明においては、スキャナ部２２とＣＩＳ２３１との違いを明瞭にするため、スキャナ部２２をＣＣＤ２２９と表記するものとする。
【００５８】
ＡＣＳ部６１１は、ＣＣＤ２２９及びＣＩＳ２３１によって読み取られた各頁の画像がモノクロ（白黒）画像であるかカラー画像であるかを判別する。ＡＣＳ部６１１によるＡＣＳ判定は、例えば以下のようにして行われる。
【００５９】
まず、ＡＣＳ部６１１は、ＣＣＤ２２９及びＣＩＳ２３１によって読み取られた画像のデータについて、当該画像データの１画素毎に，それがカラー画素であるか白黒画素であるかを判定する。この判定方法は，前記画像データのＲ，Ｇ，Ｂ夫々の値や，判定対象画素周辺との彩差（色差）等により，前記画像データの各画素がカラーであるか白黒であるかを判定する周知の方法であるので詳細説明は省略する。ここで、ＡＣＳ部６１１は、前記判定によりカラーと判定した場合、当該原稿におけるカラー画素数をカウントアップする。ＡＣＳ部６１１は、当該カウントしたカラー画素数が予め設定された閾値に達すると、当該読み取られた原稿の画像がカラー画像であると判別する。また、ＡＣＳ部６１１は、上記カラー画素又はモノクロ画素の判別対象となる残りの画素が全てカラー画素としてカウントしても上記閾値に達しないと判断すると、この時点で、当該読み取られた原稿の画像がモノクロ画像であると判別する。なお、当該ＡＣＳ判定処理は、あくまでも一例であり、ＡＣＳ部６１１によるＡＣＳ判定を上記処理に限定するものではない。
【００６０】
枚数計測部６１２は、ＡＣＳ部６１１による検出結果に基づき、原稿が少なくとも裏面にカラー画像が形成されたカラー原稿の枚数を計測するものである。
【００６１】
第１読取制御部６１３は、枚数計測部６１２による計測値が予め定められた値に達すると、ＣＣＤ２２９及びＣＩＳ２３１による読取動作及び原稿給紙部２１に原稿の搬送動作を中断させるものである。
【００６２】
表示制御部６１４は、枚数計測部６１２による計測値が予め定められた値に達すると、読取モードの切替えの要否をユーザに入力させる画面を表示部５１に表示させるものである。図４は、この入力画面の一例を示す図であり、この図４では、現在の読取モード（両面同時読取モード）で読取動作を継続すると、前述したような表面と裏面との間で画質差が生じる旨を報知するメッセージと、高画質モード（両面反転読取モード）に切り替える指示を入力するための仮想ボタン５１１及び高速モード（両面同時読取モード）で続行する指示を入力するための仮想ボタン５１２とが表示部５１に表示されている。
【００６３】
第２読取制御部６１５は、前記表示部５１に表示された仮想ボタン５１１，５１２のうち仮想ボタン５１１に対して押圧操作が行われた場合には、読取モードを前記両面同時読取モードから両面反転読取モードに切り替え、該両面反転読取モードで残りの原稿の搬送動作（反転動作）及び読取動作を原稿給紙部２１及びＣＣＤ２２９に行わせる。
【００６４】
ここで、読取モードが前記両面同時読取モードから両面反転読取モードに切り替えられた場合、第２読取制御部６１５は、原稿反転機構に反転動作を行わせて裏面に対するＣＣＤ２２９の読取動作を行わせ、該読取動作が終了すると、再度、原稿反転機構に反転動作を行わせた上で、排紙トレイ２１５に排出させる。これにより、排紙トレイ２１５に排出される各原稿を最も下に位置する原稿からみたとき、それらの原稿は原稿トレイ２１１に載置されていたときの頁順で積層状態となる。
【００６５】
一方、第２読取制御部６１５は、仮想ボタン５１２に対して押圧操作が行われた場合には、引き続き両面同時読取モードで残りの原稿の搬送動作及び読取動作を原稿給紙部２１、ＣＣＤ２２９及びＣＩＳ２３１に行わせる。
【００６６】
画像形成制御部６１６は、全ての原稿について画像データの取得動作が完了すると、記録部４０に画像形成動作を行わせるものである。
【００６７】
次に、複合機１による画像形成処理を説明する。図５は、複合機１による画像形成処理を示すフローチャートである。
【００６８】
図５に示すように、原稿トレイ２１１に原稿束が載置された状態でスタートボタン５５が押下されると（ステップ♯１でＹＥＳ）、制御部６１は、両面同時読取モード（高速モード）でＣＣＤ２２９及びＣＩＳ２３１に各原稿の画像の読み取り動作を開始させる（ステップ♯２）。
【００６９】
次に、枚数計測部６１２は、ＣＣＤ２２９及びＣＩＳ２３１による読取動作により得られた画像データに基づいて行われたＡＣＳ部６１１による判断結果からカラー原稿の枚数を計測し、その計測値（カウント値）が所定値に達したか否かを判断する（ステップ♯３）。前記計測値が所定値に達した場合には（ステップ♯３でＹＥＳ）、第１読取制御部６１３は、ＣＣＤ２２９及びＣＩＳ２３１による読取動作を中断し（ステップ♯４）、表示制御部６１４は、図４に示すような入力画面を表示部５１に表示する（ステップ♯５）。
【００７０】
表示制御部６１４は、前記入力画面において両面反転読取モードに切り替える操作（図４に示す仮想ボタン５１１に対する操作）が行われたことを検知すると（ステップ♯６，♯７でそれぞれＹＥＳ）、第２読取制御部６１５は、両面反転読取モードで残りの原稿に対する読取動作をＣＣＤ２２９に実行させる（ステップ♯８）。
【００７１】
なお、前述したように、第２制御部６１５は、前記残りの原稿については、原稿反転機構に反転動作を行わせて、裏面に対するＣＣＤ２２９の読取動作が終了すると、再度、原稿反転機構に反転動作を行わせた上で、排紙トレイ２１５に排出する。
【００７２】
一方、表示制御部６１４は、前記入力画面において両面同時読取モードを維持する操作（図４に示す仮想ボタン５１２に対する操作）が行われたことを検知すると（ステップ♯６でＹＥＳ，♯７でＮＯ）、第２読取制御部６１５は、引き続き両面同時読取モードで残りの原稿に対する読取動作をＣＣＤ２２９及びＣＩＳ２３１に実行させる（ステップ♯１０）。
【００７３】
また、表示制御部６１４は、前記入力画面を表示部５１に表示してから所定時間が経過しても、両面反転読取モードに切り替える操作及び両面同時読取モードを維持する操作のうちいずれか一方の操作が行われない場合には（ステップ♯６でＮＯ）、第２読取制御部１６５は、引き続き両面同時読取モードで残りの原稿に対する読取動作をＣＣＤ２２９及びＣＩＳ２３１に実行させる（ステップ♯１０）。
【００７４】
制御部６１は、ステップ♯８又は♯１０の処理後、全ての原稿の読取動作が完了したか否かを判断し（ステップ♯１１）、完了していない場合には（ステップ♯１１でＮＯ）、ステップ♯３の処理に戻り、完了した場合には（ステップ♯１１でＹＥＳ）、画像形成制御部６１６は、得られた画像データに基づき画像形成動作を記録部４０に実行させる（ステップ♯１２）。
【００７５】
以上のように、１組の原稿束に対する一連の読取動作の途中で、カラー原稿が予め定められた枚数だけ検知されたときには、両面反転読取モードへの切替えの要否を入力させる入力画面を表示部５１に表示するようにしたので、その読取動作の途中でユーザがモードを切り替えることを望んだ場合に、ユーザは、前記両面同時読取モードから前記両面反転読取モードに切り替えることができる。これにより、原稿に対する読取動作の開始後であっても、読取モードの設定についてのユーザの意志を反映させることができ、ユーザからの指示に基づいて、表面の読取画像の画質と裏面の読取画像の画質とに差が生じたり、記録紙の一側方を綴じて見開き状態にしたときにおける、左右どちらか一方の面に形成された画像の画質と他方の面に形成された画像の画質との差が生じたりするのを回避する構成を実現できる。また、ユーザが両面反転読取モードへの切替えを望んでいない場合であっても、前記画質差が生じることをユーザに確認（認識）させることができる。
【００７６】
また、前記入力画面で読取モードが前記両面同時読取モードから両面反転読取モードに切り替える操作が行われた場合、残りの原稿については、原稿反転機構に反転動作を行わせて、裏面に対するＣＣＤ２２９の読取動作を行わせ、該読取動作が終了すると、再度、原稿反転機構に反転動作を行わせた上で、排紙トレイ２１５に排出するようにしたので、排紙トレイ２１５に排出される各原稿を最も下に位置する原稿からみたとき、それらの原稿が原稿トレイ２１１に載置されていたときの頁順となるように積層させることができる。
【００７７】
また、前記入力画面を表示してから所定時間の間に、両面反転読取モードへの切替えの要否が入力されない場合には、両面同時読取モードを維持するようにしたので、ユーザが意図しない前記反転読取モードへの切替えを確実に防止することができる。
【００７８】
なお、本件は、前記実施形態に代えて、又は前記実施形態に加えて次のような変形形態も採用可能である。
【００７９】
［１］前記実施形態では、カラー原稿が予め定められた枚数検知されたときには、両面反転読取モードへの切替えの要否を入力させる入力画面を表示部５１に表示するようにしたが、この形態に限らず、図６に示すフローチャートのように、カラー画像が形成された頁の数を表面と裏面とに分けて計測し、少なくともどちらか一方の面についての頁数が予め定められた値に達すると（ステップ♯２３でＹＥＳ）、両面反転読取モードへの切替えの要否を入力させる入力画面を表示部５１に表示するようにしてもよい。
【００８０】
この場合、画像形成後の複数枚の記録紙における一側方を綴じて見開き状態にしたときにおける、左右どちらか一方の面に形成された画像の画質と他方の面に形成された画像の画質との差についても考慮することができる。すなわち、例えば、表面にカラー画像が形成されている原稿の枚数が比較的多く、裏面にモノクロ画像が形成されている原稿の枚数が比較的多い場合、画像形成後の複数枚の記録紙における一側方を綴じて見開き状態にした場合に、左右両面の画像に画質差が生じる状態が、多数の頁に亘って発生する。そこで、カラー画像が形成された頁の数を表面と裏面とに分けて計測し、少なくともどちらか一方の面についての頁数が予め定められた値に達した時点で前記入力画面を表示部５１に表示することで、ユーザにより両面反転読取モードへの切替え操作が行われた場合に、左右両面の画像の画質が統一されることとなり、前述のような状態が発生するのを回避することができる。
【００８１】
なお、図６に示すフローチャートは、図５に示すフローチャートのステップ♯３の処理に代えてステップ♯２３の処理を採用したものであり、それ以外の処理については、図５に示すフローチャートと略同様である。
【００８２】
［２］前記実施形態では、カラー原稿が予め定められた枚数検知されたときに、両面反転読取モードへの切替えの要否を入力させる入力画面を表示部５１に表示するようにしたが、この形態に限らず、イメージ画像（写真や絵など中間調を有する画像）が少なくとも裏面に形成されたイメージ原稿が予め定められた枚数検知されたときに、両面反転読取モードへの切替えの要否を入力させる入力画面を表示部５１に表示するようにしてもよい。
【００８３】
ＣＣＤ２２９及びＣＩＳ２３１の読取動作により得られた画像データで構成される画像がイメージ画像であるかテキスト画像（文字や記号など中間調を有さない画像）であるかは、例えば次のような方法により検出することができる。すなわち、制御部６１は、ＣＣＤ２２９等の読取動作により得られた前記画像データの画素値の変化等に基づき，前記画像データの各画素がエッジを構成するものであるか否かを判定する周知の方法により、エッジ（輪郭部分）を検出し、該エッジにより囲まれる領域をテキスト領域、それ以外の領域をイメージ領域として設定する。
【００８４】
そして、制御部６１は、テキスト領域に含まれる画素の数と、イメージ領域に含まれる画素の数とを計数し、それらの画素数の比と予め設定された閾値との大小に応じて、当該頁の画像がイメージ画像であるかテキスト画像であるかを判定する。すなわち、テキスト領域に含まれる画素の数に対するイメージ領域に含まれる画素の数の比の値（イメージ領域に含まれる画素の数÷テキスト領域に含まれる画素の数）が前記閾値より大きい場合には、当該頁の画像がイメージ画像であると判定する一方、前記比の値が前記閾値以下の場合には、当該頁の画像がテキスト画像であると判定する。
【００８５】
［３］前記実施形態では、表示制御部６１４は、カラー原稿の枚数が予め定められた値に達すると、図４に示す入力画面を表示部５１に表示し、高画質モード（両面反転読取モード）に切り替えるか、高速モード（両面同時読取モード）で続行するかを選択させるようにしたが、これらの選択肢に加えて、取り込んだデータを破棄して読込み処理を最初からやり直すという選択肢を設けても良い。これにより、ユーザが画質を優先したい場合に、原稿束における全ての原稿に対して統一した（同一の）読取モードでの読取処理を指示する機会をユーザに与えることができる。
【００８６】
［４］前記実施形態では、特許請求の範囲における第１読取部をスキャナ部２２２（ＣＣＤ２２９）とし、第２読取部をＣＩＳ２３１として説明しているが、これに限られず、第１及び第２読取部を、スキャナ部２２２（ＣＣＤ２２９）又はＣＩＳ２３１のいずれで構成することも可能である。
【００８７】
［５］本発明は上記実施の形態の構成に限られず種々の変形が可能である。例えば、上記では、本発明に係る画像読取装置及び画像形成装置の構成及び処理の実施形態を図１乃至図５に示したが、これらはあくまでも一例に過ぎず、本発明に係る画像読取装置及び画像形成装置、上述した構成及び制御に限定する趣旨ではない。
【図面の簡単な説明】
【００８８】
【図１】本発明に係る画像形成装置の一実施形態である複合機の内部構成を模式的に示した縦断面図である。
【図２】操作部の正面図の一例である。
【図３】複合機の電気的構成を示すブロック図である。
【図４】操作部に表示される入力画面の一例を示す図である。
【図５】複合機による画像形成処理を示すフローチャートである。
【図６】複合機による画像形成処理の変形形態を示すフローチャートである。
【符号の説明】
【００８９】
１          複合機
２          画像読取装置
５          操作部
２１        原稿給紙部
２３        スキャナ部
４０        記録部
５１        表示部
６１        制御部
６３        表示部
２１１      原稿トレイ
６１１      ＡＣＳ部
６１２      枚数計測部
６１３      第１読取制御部
６１４      表示制御部
６１５      第２読取制御部
６１６      画像形成制御部
２２９      ＣＣＤ
２３１      ＣＩＳ
【図２】
2009100311.tif 000003
【図３】
2009100311.tif 000004
【図４】
2009100311.tif 000005
【図５】
2009100311.tif 000006
【図６】
2009100311.tif 000007
【図１】
2009100311.tif 000008